(57)【要約】【課題】電磁誘導加熱コイルのインダクタンス値が小さい場合でも、フライバック電圧を増大することで、加熱のための投入電力を増加させることができる電磁誘導加熱装置および電源装置、並びにそれを用いた画像形成装置を提供する。【解決手段】並列に接続された第一のコイルおよび第二のコイルに電源電圧を高周波電圧として印加するように接続され、前記第一のコイルおよび前記第二のコイルに対し同時の導通状態、同時の非導通状態の切り替え制御を行う第一のスイッチング手段と、前記第一のスイッチング手段に接続された第一のコンデンサと、前記第一のコイルおよび前記第二のコイルに並列に接続され、互いに直列に接続された第二のコンデンサと第二のスイッチング手段と、を有する。【選択図】図１
2020017371.tif 000002
【特許請求の範囲】
【請求項１】
並列に接続された第一のコイルおよび第二のコイルに電源電圧を高周波電圧として印加するように接続され、前記第一のコイルおよび前記第二のコイルに対し同時の導通状態、同時の非導通状態の切り替え制御を行う第一のスイッチング手段と、
前記第一のスイッチング手段に接続された第一のコンデンサと、
前記第一のコイルおよび前記第二のコイルに並列に接続され、互いに直列に接続された第二のコンデンサと第二のスイッチング手段と、
を有することを特徴とする電磁誘導加熱装置。
【請求項２】
前記第二のコイルは、トナー画像を担持した記録材を電磁誘導加熱する励磁コイルであり、
前記第二のコイルの外側に設けられ、導電層を有する筒状の回転体と、
前記回転体の長手方向に長く、前記第二のコイルの内側に設けられ、前記第二のコイルからの磁力線を誘導するためのコアと、
を有することを特徴とする請求項１に記載の電磁誘導加熱装置。
【請求項３】
前記第一のコイル、前記第一のスイッチング手段、前記第一のコンデンサ、前記第二のコンデンサ、前記第二のスイッチング手段は、電源部に設けられ、
前記第二のコイルは前記電源部の外側に設けられることを特徴とする請求項１または２に記載の電磁誘導加熱装置。
【請求項４】
前記第一のスイッチング手段と前記第二のスイッチング手段を交互に導通制御する制御手段を有することを特徴とする請求項１乃至３のいずれか１項に記載の電磁誘導加熱装置。
【請求項５】
前記第一のコイルと前記第二のコイルは磁気結合しないことを特徴とする請求項１乃至４のいずれか１項に記載の電磁誘導加熱装置。
【請求項６】
前記第一のスイッチング手段と前記第一のコンデンサは、並列接続されていることを特徴とする請求項１乃至５のいずれか１項に記載の電磁誘導加熱装置。
【請求項７】
前記第一のコイルと前記第二のコイルと前記第一のコンデンサは、並列接続されていることを特徴とする請求項１乃至６のいずれか１項に記載の電磁誘導加熱装置。
【請求項８】
前記筒状の回転体に対向し、前記筒状の回転体と共に画像を担持した記録材を挟持搬送するニップ部を形成する対向回転体を有することを特徴とする請求項２に記載の電磁誘導加熱装置。
【請求項９】
並列に接続された第一のコイルおよび第二のコイルに電源電圧を高周波電圧として印加するように接続され、前記第一のコイルおよび前記第二のコイルに対し同時の導通状態、同時の非導通状態の切り替え制御を行う第一のスイッチング手段と、
前記第一のスイッチング手段に接続された第一のコンデンサと、
前記第一のコイルおよび前記第二のコイルに並列に接続され、互いに直列に接続された第二のコンデンサと第二のスイッチング手段と、
を有することを特徴とする電源装置。
【請求項１０】
前記第一のコイルを有することを特徴とする請求項９に記載の電源装置。
【請求項１１】
記録材に画像形成を行う画像形成部と、画像形成された前記記録材に対して加熱定着を行う請求項１乃至８のいずれか１項に記載の電磁誘導加熱装置を備えた画像加熱部と、を有することを特徴とする画像形成装置。
【請求項１２】
記録材に画像形成を行う画像形成部と、画像形成された前記記録材に対して加熱定着を行う請求項９または１０に記載の電源装置を備えた画像加熱部と、を有することを特徴とする画像形成装置。
【発明の詳細な説明】
【技術分野】
【０００１】
本発明は、例えば電子写真方式を採用した複写機やプリンタ、あるいはファクシミリ等、記録材上に画像形成可能な画像形成装置に用いられる電磁誘導加熱装置および電源装置、並びにそれを用いた画像形成装置に関する。
【背景技術】
【０００２】
複写機やプリンタ等において、電子写真画像を紙等のシート状の記録材に加熱して定着する定着ユニットの加熱方法として、電磁誘導加熱がある。この電磁誘導加熱は、商用電源からの電圧をコイルに高周波電圧として印加し、高周波磁界によって誘導電流を磁性材に発生させ、磁性材が発熱することでトナーを加熱し記録材に定着するものである。このような高周波電圧を生成しコイルに印加する電源回路の構成としては、特許文献１および特許文献２のような電圧共振回路が知られている。
【先行技術文献】
【特許文献】
【０００３】
【特許文献１】特開２０００−２４５１６１号公報
【特許文献２】特開２００８−１０３３０７号公報
【発明の概要】
【発明が解決しようとする課題】
【０００４】
しかしながら、電圧共振回路を電磁誘導加熱のコイルに接続して電力を供給する構成で、コイルのインダクタンス値が小さい場合、コイルに高周波電圧を印加して励磁した後のフライバック期間におけるコイルの電圧（絶対値）が低くなる。すなわち、図３（ｆ）の一点鎖線部に示すように、コイルに印加される電圧（絶対値）が小さく、コイルに供給される投入電力が低くなる。
【０００５】
本発明の目的は、電磁誘導加熱コイルのインダクタンス値が小さい場合でも、フライバック電圧を増大することで、加熱のための投入電力を増加させることができる電磁誘導加熱装置および電源装置、並びにそれを用いた画像形成装置を提供することにある。
【課題を解決するための手段】
【０００６】
上記目的を達成するため、本発明に係る電磁誘導加熱装置は、並列に接続された第一のコイルおよび第二のコイルに電源電圧を高周波電圧として印加するように接続され、前記第一のコイルおよび前記第二のコイルに対し同時の導通状態、同時の非導通状態の切り替え制御を行う第一のスイッチング手段と、前記第一のスイッチング手段に接続された第一のコンデンサと、前記第一のコイルおよび前記第二のコイルに並列に接続され、互いに直列に接続された第二のコンデンサと第二のスイッチング手段と、を有することを特徴とする。
【０００７】
また、本発明に係る電源装置は、並列に接続された第一のコイルおよび第二のコイルに電源電圧を高周波電圧として印加するように接続され、前記第一のコイルおよび前記第二のコイルに対し同時の導通状態、同時の非導通状態の切り替え制御を行う第一のスイッチング手段と、前記第一のスイッチング手段に接続された第一のコンデンサと、前記第一のコイルおよび前記第二のコイルに並列に接続され、互いに直列に接続された第二のコンデンサと第二のスイッチング手段と、を有することを特徴とする。
【０００８】
また、本発明に係る画像形成装置は、上記電磁誘導加熱装置もしくは上記電源装置を有することを特徴とする。
【０００９】
（作用）
並列に接続された第一のコイルおよび第二のコイルを励磁した後のフライバック期間中に、第一のコイルの磁気エネルギーによるフライバック電圧を第二のコイルに供給する。
【発明の効果】
【００１０】
本発明によれば、電磁誘導加熱コイルのインダクタンス値が小さい場合でも、フライバック電圧を増大することで、加熱のための投入電力を増加させることができる。
【図面の簡単な説明】
【００１１】
【図１】第１の実施形態に係る電磁誘導加熱装置の回路構成を説明する図である。
【図２】第１の実施形態に係る電磁誘導加熱部の構成を説明する図である。
【図３】第１の実施形態に係る回路構成のスイッチング時の動作波形図である。
【図４】第１の実施形態に係る電磁誘導加熱部の電力波形図である。
【図５】第２の実施形態に係る電磁誘導加熱装置の回路構成を説明する図である。
【図６】第３の実施形態に係る画像形成装置を説明する断面図およびブロック図である。
【発明を実施するための形態】
【００１２】
以下、本発明の好ましい実施の形態を図に基づいて説明する。
【００１３】
《第１の実施形態》
（電磁誘導加熱装置）
図１は、第１の実施形態の電磁誘導加熱装置（電磁誘導加熱部４と電源装置としての電源部（スイッチング電源）１００で構成される）の回路構成を表した図である。１は商用交流電源であるところのＡＣ（交流）入力電圧に重畳しているノイズを除去するノイズフィルタ部、２はＡＣ電圧を全波整流するブリッジダイオード等からなる整流部である。そして、３は整流部２で全波整流された電圧をスイッチング動作にて高周波電圧に変換するスイッチング部である。スイッチング部３では、スイッチング素子がスイッチングする（ＯＮ／ＯＦＦを繰り返す）ことで、高周波の交流とされる。
【００１４】
スイッチング部３は電圧共振方式のスイッチング電源であり、電磁誘導加熱部４に高周波電圧を印加することで、加熱のための電力を供給する。５は制御部であり、電磁誘導加熱部４に供給する電力を制御するために高周波電圧の印加を制御し、電磁誘導加熱部４の加熱状態を監視しながらスイッチング部３を制御する制御手段である。
【００１５】
制御部５は、スイッチング部３と電磁誘導加熱部４の動作を制御するＣＰＵ（中央演算処理装置）等の半導体素子を備え、以下に示すＲＯＭ、ＲＡＭ、ＥＥＰＲＯＭ、ＥＥＰＲＯＭが一体となっている構成である。すなわち、動作手順やデータを保持しているＲＯＭ（Ｒｅａｄ  Ｏｎｌｙ  Ｍｅｍｏｒｙ）を備える。また、一時的に情報を保持するＲＡＭ（Ｒａｎｄｏｍ  Ａｃｃｅｓｓ  Ｍｅｍｏｒｙ）を備える。また、書き換え可能な不揮発性メモリＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を備える。
【００１６】
また、制御部５は、所定の時間および期間をカウントするためのタイマー機能も含んだマイコン等であっても良い。
【００１７】
６はノイズフィルタ部１を経由してＡＣ入力電圧からＤＣ（直流）出力電圧Ｖｃｃ等を生成するＤＣ電源部である。ＤＣ電源部６は、制御部５が動作するためのＤＣ電圧Ｖｃｃを供給する。
【００１８】
図１の制御部５は、電源部１００の内部に配置した構成を示しているが、電源部１００の外部に配置してスイッチング部３およびＤＣ電源部６と接続し、スイッチング部３および電磁誘導加熱部４を制御する構成であってもよい。
【００１９】
スイッチング部３における３０は第一のコイルであり、高周波電圧が印加されて励磁されるコイルである。３０ａはコイル３０の電線が巻かれたコアである。コイル３０の電線は絶縁被覆された銅線であり、高周波電圧が印加されることで発生する高周波電流による銅損失が少なくなるように細線を複数束ねた構成が良い。コア３０ａは高透磁率材であり、フェライトのようなトランスに用いられる材料であり、数十ｋＨｚ〜数百ｋＨｚの周波数で損失が少ない材料が良い。
【００２０】
３１および３４は第一および第二のスイッチング素子で、導通もしくは非導通のスイッチング動作を繰り返すＩＧＢＴ（Ｉｎｓｕｌａｔｅｄ  Ｇａｔｅ  Ｂｉｐｏｌａｒ  Ｔｒａｎｓｉｓｔｏｒ）等の半導体素子である。スイッチング素子３１が第一のスイッチング手段、スイッチング素子３４が第二のスイッチング手段である。また、スイッチング素子３１およびスイッチング素子３４には、ダイオードが設けられ、内部で接続されている。
【００２１】
３２および３３は電圧共振コンデンサであり、コンデンサ３２が第一のコンデンサ、コンデンサ３３が第二のコンデンサである。コンデンサ３２は、スイッチング素子３１と並列に接続されている。また、コンデンサ３３とスイッチング素子３４は直列に接続され、コンデンサ３３とスイッチング素子３４の組み合わせはコイル３０と並列に接続されている。３５はスイッチング素子３１およびスイッチング素子３４の駆動回路で、制御手段としての制御部５からの出力信号に応じてスイッチング素子３１およびスイッチング素子３４を交互に導通制御する（スイッチング駆動を行う）ための回路である。
【００２２】
３６は、スイッチング素子３１およびスイッチング素子３４のスイッチング動作時に発生するノイズを除去するフィルタコンデンサ（電界コンデンサ）である。電源部１００に入力した交流（ＡＣ）は、整流部２で整流され、さらに一次側のフィルタコンデンサ３６で平滑化される。 
【００２３】
電磁誘導加熱部４の４０は第二のコイルであり、第一のコイル３０と磁気結合しないように電源部１００に接続されており、高周波電圧が印加されて励磁されるコイル（励磁コイル）である。４０ａは、第二のコイル４０の内側に設けられ、第二のコイル４０にて生成された磁力線を内部に誘導し、磁路を形成する部材として機能するコア（磁性コア）である。コア４０ａは、後述する回転体としての発熱部材４１、あるいは対向回転体８（図２（ｂ））の長手方向（母線方向）に設けられる。
【００２４】
前述したスイッチング素子３１は、並列に接続された第一のコイル３０および第二のコイル４０に電源電圧を高周波電圧として印加するように接続され、第一のコイル３０および第二のコイル４０に対し同時の導通状態、同時の非導通状態の切り替え制御を行う。
【００２５】
コイル４０の電線は、絶縁被覆された銅線である。コア４０ａは高透磁率材であり、フェライトのようなトランスに用いられる材料であり、数十ｋＨｚ〜数百ｋＨｚの周波数で損失が少ない材料が良い。
【００２６】
４１は導電層を有する発熱部材で、第二のコイル４０の外側に設けられる筒状（円筒形状）の回転体（定着フィルム）である。ここで、コイル４０に電源部１００から高周波電圧が印加され、高周波電流が流れた際に長手方向に沿ったコア４０ａを通る磁束（周期的に極性が反転する交番磁束）が作用する。そして、発熱部材４１の発熱層に、電磁誘導によって周方向に電流（周回電流）が流れ、発熱部材４１の発熱層が発熱する。
【００２７】
より具体的には、コイルに高周波交流を流した場合、コイル周辺には交番磁界（時間と共に大きさと方向が変化を繰り返す磁界）が形成される。そのとき発生する誘導起電力は、ファラデーの法則より回路を垂直に貫く磁束の時間変化に比例する。
【００２８】
４２は、発熱部材４１の温度を検知する温度センサであり、４３の信号線を経由して、発熱部材４１の温度情報を制御部５に入力する。制御部５は、電磁誘導加熱部４の発熱部材４１の温度情報を基に目標の温度となるように加熱制御を行う。
【００２９】
図２（ａ）は、図１で示した電磁誘導加熱部４の構成を表した図である。コイル４０の電線はコア４０ａに端部付近から螺旋状に巻かれ、他端で折り返した構成である。また、コイル４０およびコア４０ａは可動しない構成であり、円筒形状の発熱部材４１は、コイル４０およびコア４０ａの外側に配置され、不図示の機構によって回転する回転体である。温度センサ４２は、サーミスタ素子等の温度に応じて抵抗値もしくは出力電圧が変化するセンサであり、信号線４３が接続されている。
【００３０】
ここで、図２（ｂ）に示すように、回転体である発熱部材４１に対向して対向回転体（加圧部材）としての対向回転体８が設けられ、発熱部材４１と対向回転体８との間にトナー画像を担持した記録材が挟持搬送されるニップ部が形成される。
【００３１】
そして、加圧用ステイ（金属製の補強部材）１９の長手方向の両端部と装置シャーシ側のバネ受け部材１８ａ、１８ｂとの間にそれぞれ加圧バネ（圧縮バネ）１７ａ、１７ｂを設けることで加圧用ステイ１９に押し下げ力を作用させている。具体的には、総圧約１００Ｎ〜２５０Ｎ（約１０ｋｇｆ〜約２５ｋｇｆ）の押圧力を与えている。
【００３２】
図２（ｂ）で、１２ａ、１２ｂは発熱部材４１の回転に従動して回転するフランジ部材である。フランジ部材は、フィルムガイド６の長手方向端部に回転自在に配置されている。発熱部材４１が回転中に長手方向（母線方向）に寄り移動するとフランジ部材１２ａ、１２ｂに突き当たり、発熱部材４１に押されたフランジ部材１２ａ、１２ｂは規制部材１３ａ、１３ｂに突き当たる。これにより、発熱部材４１の寄り移動が規制部材１３ａ、１３ｂによって規制される。
【００３３】
図３は、図１で示した電磁誘導加熱装置の電源部１００および電磁誘導加熱部４の第二のコイル４０の動作波形の一部を表した図である。図３（ｆ）、（ｈ）で、実線は第一のコイル３０が接続されている場合、一点鎖線はコイル３０が接続されていない場合の、第二のコイル４０の電圧ＶＬと電流ｉＬ２を表している。
【００３４】
図３（ａ）、（ｂ）に示すスイッチング素子３１とスイッチング素子３４のＶｇｅは、ＩＧＢＴのゲート−エミッタ間電圧である。図３（ｃ）、（ｄ）に示すスイッチング素子３１とスイッチング素子３４のＶｃｅは、ＩＧＢＴのコレクタ−エミッタ間電圧である。図３（ｅ）に示すコンデンサ３３のＶｃ１は電圧であり、図３（ｆ）に示すコイル３０とコイル４０のＶＬは電圧である。また、図３（ｇ）、（ｈ）に示すコイル３０のｉＬ１とコイル４０のｉＬ２は電流である。
【００３５】
時刻ｔ０から時刻ｔ１の期間はスイッチング素子３１が導通し、コイル３０とコイル４０を励磁し、各コイルの電流であるｉＬ１とｉＬ２が上昇する（図３（ｇ）、（ｈ））。そして、時刻ｔ１でスイッチング素子３１がオフし非導通状態となり、フライバック期間となる。
【００３６】
時刻ｔ１からは、図３（ｃ）に示すように、スイッチング素子３１の電圧Ｖｃｅ（およびコンデンサ３２の電圧）は、コイル３０とコイル４０およびコンデンサ３２の電圧共振によって急速に上昇する。その後、スイッチング素子３４の内部ダイオードが導通し、コイル３０とコイル４０およびコンデンサ３２とコンデンサ３３の電圧共振によってスイッチング素子３１のＶｃｅは緩やかに上昇する。また、時刻ｔ１からは、図３（ｄ）に示すように、スイッチング素子３４の電圧Ｖｃｅは急速に低下する。
【００３７】
また、時刻ｔ１からは、図３（ｇ）（ｈ）に示すように、コイル３０とコイル４０の電流ｉＬ１とｉＬ２は、時刻ｔ０からｔ１で励磁された磁気エネルギーを放出することで下降し、電圧ＶＬ（図３（ｆ））も急速に下降し、その後緩やかに下降する。また、時刻ｔ１からは、コンデンサ３３の電圧Ｖｃ１は上昇する。
【００３８】
そして、時刻ｔ２ではスイッチング素子３４の電圧Ｖｃｅは、スイッチング素子３４の内部ダイオードが導通している状態で導通することでスイッチング時の電力損失が小さいＺＶＳ（Ｚｅｒｏ  Ｖｏｌｔａｇｅ  Ｓｗｉｔｃｈｉｎｇ）動作を行う。
【００３９】
図３（ｇ）、（ｈ）における時刻ｔ２からｔ３の期間は、コイル３０とコイル４０の電流ｉＬ１とｉＬ２は下降することで、時刻ｔ０から時刻ｔ１の期間の励磁時と逆方向の電流となる。そして、コイル３０とコイル４０の電圧は下降した後上昇する（図３（ｆ））。ｍａｔａ，コンデンサ３３の電圧Ｖｃ１は上昇した後下降し（図３（ｅ））、スイッチング素子３１のＶｃｅも上昇した後下降する（図３（ｃ））。
【００４０】
そして、図３（ｂ）に示すように、時刻ｔ３でスイッチング素子３４がオフし非導通状態となり、スイッチング素子３４の電圧Ｖｃｅは、図３（ｄ）に示すようにコイル３０とコイル４０およびコンデンサ３２の電圧共振によって急速に上昇する。そして、図３（ｆ）に示すようにコイル３０とコイル４０の電圧ＶＬも急速に上昇し、図３（ｃ）に示すようにスイッチング素子３１の電圧Ｖｃｅは急速に低下する。その後、スイッチング素子３１の内部ダイオードが導通する。また、図３（ｇ）（ｈ）に示すように、時刻ｔ３から、コイル３０の電流ｉＬ１は下降し、コイル４０の電流ｉＬ２は上昇する。
【００４１】
そして、時刻ｔ４では、スイッチング素子３１の電圧Ｖｃｅ（図３（ｃ）)は、スイッチング素子３１の内部ダイオードが導通している状態で導通することでＺＶＳ動作を行う。時刻ｔ４からは、時刻ｔ０からと同様にスイッチング素子３１が導通し、フライバック期間が終了する。
【００４２】
図３（ｆ）、（ｈ）に示すように、コイル３０が接続されていない場合の時刻ｔ０からｔ４期間は、コイル４０の電圧ＶＬと電流ｉＬ２は一点鎖線のように変化する。コイル３０が接続されていない場合、コイル４０に印加される電圧ＶＬの振幅と電流ｉＬ２の振幅は、コイル３０が接続されている場合の実線より小さくなり、コイル４０に供給される電力は低くなる。
【００４３】
図４は、図１で示した電磁誘導加熱装置の回路の電源部１００動作時におけるＡＣ入力電圧と電磁誘導加熱部４の投入電力の波形を表した図である。ＡＣ入力電圧は正弦波状に変化し、ノイズフィルタ１と整流部２を経由してフィルタコンデンサ３６の電圧Ｖｉｎは全波整流波形となる。フィルタコンデンサ３６の容量は、入力された電圧Ｖｉｎを平滑化できない容量であるが、スイッチング素子３１およびスイッチング素子３４のスイッチング動作時に発生するノイズを除去できるものとする。
【００４４】
電源部１００にコイル３０が接続された動作時において、電磁誘導加熱部４への投入電力を円弧状の実線で示し、単位時間あたりの投入電力を平均化された実線で示す。一方、電源部１００にコイル３０が接続されていない場合は、図３の一点鎖線の動作波形で示したように、電磁誘導加熱部４のコイル４０に供給される電力は一点鎖線のように低くなる。
【００４５】
本実施形態の電磁誘導加熱装置である電源部１００と電磁誘導加熱部４は、コイル４０とは別のコイル３０を接続したことで、以下の効果がある。すなわち、コイル３０とコイル４０を励磁した後のフライバック期間中にコイル３０の磁気エネルギーによるフライバック電圧をコイル４０に供給することで、コイル４０のインダクタンス値が小さい場合でも、加熱のための投入電力を増加させることができる。
【００４６】
《第２の実施形態》
図５は、本発明の第２の実施形態の電源部１００の回路図であり、第１の実施形態における図１で表した回路図における第一のコンデンサ３２の接続箇所が異なっている。すなわち、コンデンサ３２は、第一のコイル３０および、第二のコイルである電磁誘導加熱部４のコイル４０と並列接続されている。また、コンデンサ３２は、第二のコンデンサ３３と第二のスイッチング手段であるスイッチング素子３４の組み合わせと並列接続されている。
【００４７】
コンデンサ３２の電圧波形は、コンデンサ３２と並列接続されているコイル３０およびコイル４０の電圧波形（図３（ｆ））と同様となる。また、スイッチング素子３１の導通時にコンデンサ３２をショート放電することなくコイル３０とコイル４０およびコンデンサ３２は電圧共振動作となり、その後ＺＶＳ動作を行う（図３（ｃ））。
【００４８】
本実施形態の電磁誘導加熱装置の一部を構成する電源部１００は、コンデンサ３２をコイル３０と並列接続してもスイッチング素子３１とスイッチング素子３４の導通時にＺＶＳにてスイッチング時の電力損失が低減できる。そして、コンデンサ３２のショート放電が無い為、加熱のための投入電力を増加させることができる。
【００４９】
《第３の実施形態》
次に、第１および第２の実施形態で説明した電磁誘導加熱装置である電源部１００と電磁誘導加熱部４を、レーザビームプリンタのような画像形成装置に適用した実施形態を示す。
【００５０】
図６は、本実施形態を表す画像形成装置２００の断面図およびブロック図である。２０１は画像形成装置２００を制御する制御部であり、例えばＣＰＵ（中央演算処理装置）である。動作を制御する手順やデータを保持しているＲＯＭや、一時的に情報を保持するＲＡＭが一体となっているものや、個別に同等の機能を有する回路を接続したものである。２０２は画像を記録する記録材を収容するカセットであり、記録材としては例えば紙等の画像を保持するシート状の物である。２０３は記録材を送り出すピックアップローラであり、２０４は記録材の先端を揃えるレジストローラである。
【００５１】
２０５は、搬送された記録材上に公知の電子写真プロセスにより画像を形成する画像形成部である。２０５ａは電子写真プロセスにおける画像イメージとして感光体２０５ｂ上に潜像を形成する照射部であり、２０５ｃは感光体２０５ｂ上の潜像をトナー画像として形成するための現像部である。２０５ｄは、記録媒体２０２上に感光体２０５ｂ上で形成されたトナー画像を転写する転写部材である。２０６は画像加熱部（以下、定着部）で、記録材上に形成されたトナー画像を安定して加熱定着させる。
【００５２】
定着部２０６には電磁誘導加熱部４が接続されており、電源部１００から高周波電圧が供給され、記録材上のトナー画像を加熱する。２０６ａは電磁誘導加熱部４に対向し、電磁誘導加熱部４とともにトナー画像を担持した記録材を加圧して定着させる対向回転体としての円筒形の加圧フィルムである。電磁誘導加熱部４の発熱部材４１と加圧フィルム２０６ａは、トナー画像を担持した記録材を加熱および加圧しながら挟み込み、記録材の搬送方向に合わせて回転する。
【００５３】
２０７は記録材を画像形成装置２００の上部に排出する排紙ローラであり、２０８は排出された記録材を積載する排紙トレイである。２０９は、画像形成及び定着された記録材が排出積載された状態を表している。
【００５４】
２１０および２１１はモータであり、記録材を搬送するピックアップローラ２０３、レジストローラ２０４、画像形成部２０５、定着部２０６を駆動し、電源部１００から出力される電力を消費する。尚、ピックアップローラ２０３、レジストローラ２０４、排紙ローラ２０７、モータ２１０及び２１１は、記録材の搬送手段を構成している。
【００５５】
本実施形態のレーザビームプリンタのような画像形成装置２００は、記録材にトナー画像を定着させる際に、加熱に必要な最大電力を消費するようなタイミングにおいて次のような効果が得られる。
【００５６】
電磁誘導加熱部４のコイル４０とは別のコイル３０の磁気エネルギーによるフライバック電圧をコイル４０に供給することで、コイル４０のインダクタンス値が小さい場合でも、加熱のための投入電力を増加させることができる。そして、電磁誘導加熱コイルのインダクタンス値が小さい場合でも、並列にコイルを接続してフライバック電圧を増大することで、加熱のための投入電力をさらに増加させることができる。
【符号の説明】
【００５７】
３０・・第一のコイル、３１・・第一のスイッチング素子、３２・・第一のコンデンサ、３３・・第二のコンデンサ、３４・・第二のスイッチング素子、４０・・第二のコイル
【図１】
2020017371.tif 000003
【図２】
2020017371.tif 000004
【図３】
2020017371.tif 000005
【図４】
2020017371.tif 000006
【図５】
2020017371.tif 000007
【図６】
2020017371.tif 000008